(57)【要約】  本発明は、固定割当方式に基づく無線資源再割当方法に関する。パケットベースのデータ伝送システムにおいて効率的に無線資源を利用するために、固定割当方式を用いることにより、再配置情報要素と再配置カウンター情報要素とに基づいて固定割当無線資源を再割り当てする。その結果、資源解除及び資源変更によって発生しうる不連続的な無線資源の未使用領域を削除することができて、マップ（ＭＡＰ）の受信エラー時に発生しうる資源割当不一致を解決することができる。
2010528556.tif 000002
【特許請求の範囲】
【請求項１】
基地局の資源再割当方法であって、
再配置される固定無線資源のスロットオフセット情報及びスロット移動情報を含む再配置情報要素を生成する段階と、
前記再配置情報要素を端末に伝送する段階と、
前記固定無線資源のスロットを前記スロット移動情報により移動して、前記端末に資源を再割当する段階と
を含む資源再割当方法。
【請求項２】
前記スロットオフセット情報は、前記再配置される無線資源を再配置する前に既に割り当てられている固定無線資源の不連続領域が始まる地点の情報であることを特徴とする請求項１に記載の資源再割当方法。
【請求項３】
前記スロット移動情報は、前記不連続領域の大きさに相当することを特徴とする請求項２に記載の資源再割当方法。
【請求項４】
端末が基地局から資源の再割当を受ける方法であって、
再配置される固定無線資源の情報を示す第１スロットオフセットを含む再配置情報要素を含むマップを受信する段階と、
前記第１スロットオフセットと、現在使用中の資源に対応する第２スロットオフセット値とを比較する段階と、
前記比較の結果に応じて新たな固定無線資源の割り当てを受けて利用するか、または前記現在使用中の資源を継続して利用する段階と
を含む資源再割当方法。
【請求項５】
前記再配置情報要素は、前記再配置される固定無線資源のスロット移動情報をさらに含むことを特徴とする請求項４に記載の資源再割当方法。
【請求項６】
前記利用する段階は、
前記第１スロットオフセットが前記第２スロットオフセット以下のとき、前記スロット移動情報により移動した固定無線資源を利用することをさらに含むことを特徴とする請求項５に記載の資源再割当方法。
【請求項７】
前記利用する段階は、
前記第１スロットオフセットが前記第２スロットオフセットより大きいとき、前記現在使用中の資源を利用することをさらに含むことを特徴とする請求項５に記載の資源再割当方法。
【請求項８】
基地局の資源再割当方法であって、
再配置される固定無線資源の情報を含む再配置情報要素を生成する段階と、
前記再配置情報要素が生成されたときに、再配置カウンターを増加させる段階と、
前記再配置カウンターを含んだ再配置カウンター情報要素を含むマップを伝送する段階と
を含む資源再割当方法。
【請求項９】
前記マップを伝送する段階の後に、前記マップを受信できないことを知らせるメッセージの伝達を前記端末から受けると、前記再配置される固定無線資源の情報を含む再配置情報要素を含むマップを前記端末に再伝送することをさらに含むことを特徴とする請求項８に記載の資源再割当方法。
【請求項１０】
端末が基地局から資源の再割当を受ける方法であって、
前記基地局から再配置カウンター情報要素を含むマップを受信する段階と、
前記再配置カウンター情報要素に含まれている再配置カウンター値に基づいて、新たな固定無線資源の割り当てを受ける段階と
を含む資源再割当方法。
【請求項１１】
前記新たな固定無線資源の割り当てを受ける段階は、
前記基地局からマップを受信し、当該マップに前記新たな固定無線資源の割り当てのための再配置情報要素が含まれているかどうかを判断する段階と、
前記再配置情報要素が含まれているときに、前記再配置情報要素に基づいて前記新たな固定無線資源の割り当てを受ける段階と
を含むことを特徴とする請求項１０に記載の資源再割当方法。
【請求項１２】
前記マップの受信エラーメッセージは、ＣＱＩＣＨ（Ｃｈａｎｎｅｌ Ｑｕａｌｉｔｙ Ｉｎｄｉｃａｔｏｒ Ｃｈａｎｎｅｌ）、ＨＡＲＱ（Ｈｙｂｒｉｄ Ａｕｔｏｍａｔｉｃ Ｒｅｐｅａｔ Ｒｅｑｕｅｓｔ）フィードバック、またはアップリンクバーストのうちのいずれか１つを利用して前記基地局に伝送されることを特徴とする請求項１１に記載の資源再割当方法。
【請求項１３】
前記マップに再配置カウンター情報要素が含まれていないとき、現在使用している資源を継続して利用する段階をさらに含むことを特徴とする請求項１０に記載の資源再割当方法。
【発明の詳細な説明】
【技術分野】
【０００１】
本発明は無線資源の再割当方法に関し、特に、固定割当方式における無線資源を再割り当てする方法に関する。
【背景技術】
【０００２】
一般にパケットベースのデータ伝送システム（例えば、携帯インターネットシステム（ＷｉＭＡＸ/ＷｉＢｒｏ:Ｗｏｒｌｄ Ｉｎｔｅｒｏｐｅｒａｂｉｌｉｔｙ ｆｏｒ Ｍｉｃｒｏｗａｖｅ Ａｃｃｅｓｓ/Ｗｉｒｅｌｅｓｓ Ｂｒｏａｄｂａｎｄ）、または広帯域無線接続（ＢＷＡ:Ｂｒｏａｄｂａｎｄ Ｗｉｒｅｌｅｓｓ Ａｃｃｅｓｓ）など）では、効率的な無線資源の利用のために動的資源割当方式を適用したデータ伝送方法を適用してデータを伝送する。つまり、パケットスケジューリングを通じてフレームごとに動的に端末への資源の割り当てを行う。
【０００３】
この時、毎フレームについて資源割当情報を端末に伝送するためにマップ（ＭＡＰ）という制御メッセージを利用する。マップは当該フレームから伝送される使用者情報、バースト（Ｂｕｒｓｔ）の物理的割当位置及びバーストの変調及び符号化方式（ＭＣＳ:Ｍｏｄｕｌａｔｉｏｎ ａｎｄ Ｃｏｄｉｎｇ Ｓｃｈｅｍｅ）情報を含んでいる。
【０００４】
また、携帯インターネットシステムは効率的なアップリンクスケジューリングのためにＵＧＳ（Ｕｎｓｏｌｉｃｉｔｅｄ Ｇｒａｎｔ Ｓｅｒｖｉｃｅ）、ｅｒｔＰＳ（ｅｘｔｅｎｄｅｄ ｒｅａｌ-ｔｉｍｅ Ｐｏｌｌｉｎｇ Ｓｅｒｖｉｃｅ）、ｒｔＰＳ（Ｒｅａｌ-Ｔｉｍｅ Ｐｏｌｌｉｎｇ Ｓｅｒｖｉｃｅ）、ｎｒｔＰＳ（ｎｏｎ ｒｅａｌ-ｔｉｍｅ Ｐｏｌｌｉｎｇ Ｓｅｒｖｉｃｅ）、ＢＥ（Ｂｅｓｔ Ｅｆｆｏｒｔ ｓｅｒｖｉｃｅ）などのスケジューリングクラスを定義している。ＵＧＳとｅｒｔＰＳは比較的少ない容量のデータ、または固定量の周期的データサービスのために適した方式であって、ＶｏＩＰ（Ｖｏｉｃｅ ｏｆ Ｉｎｔｅｒｎｅｔ Ｐｒｏｔｏｃｏｌ）のように周期性を有しながらソースレート（ｓｏｕｒｃｅ ｒａｔｅ）が可変的な場合、無線資源の効率性の側面において有利に作用し、幅広く使用されている。
【発明の概要】
【発明が解決しようとする課題】
【０００５】
しかし、ＶｏＩＰのような特徴を有するトラフィックを支援するためには、パケット方式の動的資源割当では多量のマップオーバーヘッドを招く。その結果、広帯域無線接続システムでも固定割当方式を考慮している。
【０００６】
固定割当方式は周期的に固定された領域の資源を特定使用者に専用として割り当てる方式であって、１度資源が割り当てられると解除が発生するまで、端末は、資源に対する使用権限を有するようになる。この時、マップオーバーヘッドを減らすためにＭＣＳ方式も固定される。
【０００７】
しかし、このような方式の資源割当方式は無線チャンネル状態が多く変更される場合、無線伝送エラーに脆弱であり、また、無線資源の効率性が低下するという問題があるため、ＭＣＳを変更しなければならない。しかし、ＭＣＳ変更を通じて無線資源が解除されて資源が変更される場合、無線資源が使用されない領域が不連続的に発生することがある。
【０００８】
したがって、本発明はこのような従来技術の問題を解決するためになされたものであり、本発明の目的とするところは、資源解除及び資源変更によって発生しうる不連続な無線資源の未使用領域を削除する方法を提供することにある。
【０００９】
また、本発明の他の目的とするところは、マップの受信エラー時に発生しうる資源割り当ての不一致の問題を解決することができる無線資源割当方法を提供することにある。
【課題を解決するための手段】
【００１０】
前記本発明の技術的課題を達成するための本発明の特徴である資源再割当方法は、基地局の資源再割当方法において、
再配置する固定無線資源のスロットオフセット情報及びスロット移動情報を含む再配置情報要素を生成する段階と；
前記再配置情報要素を端末へ伝送する段階；及び、
前記固定無線資源のスロットを前記スロット移動情報だけ移動して前記端末へ資源を再割当する段階を含む。
【００１１】
前記本発明の技術的課題を達成するための本発明の他の特徴である資源再割当方法は、端末が基地局から資源の再割当を受ける方法において、
再配置される固定無線資源の情報を示す第１スロットオフセットを含む再配置情報要素が含まれているマップを受信する段階と；
前記第１スロットオフセットと現在使用中の資源に対応する第２スロットオフセットとを比較する段階；及び、
前記比較した結果に応じて固定無線資源の再割当を受けて利用したり、前記現在使用中の資源を利用する段階を含む。
【００１２】
前記本発明の技術的課題を達成するための本発明の他の特徴である資源再割当方法は、基地局の資源再割当方法において、
再配置する固定無線資源に対する情報を含む再配置情報要素を生成して、端末で伝送する段階；
前記再配置情報要素が生成されると、再配置カウンターを増加させる段階；
前記再配置カウンターを含む再配置カウンター情報要素を含むマップを伝送する段階；及び
前記端末に保存されている再配置カウンターと前記マップに含まれて、前記端末に伝送された再配置カウンターの比較結果を前記端末から受信し、前記端末から前記マップに対する受信の可否を伝達される段階を含む。
【００１３】
前記本発明の技術的課題を達成するための本発明の他の特徴である資源再割当方法は、端末が基地局から資源の再割当を受ける方法において、
前記基地局から再配置カウンター情報要素が含まれているマップを受信する段階；
前記再配置カウンター情報要素に含まれている第１再配置カウンターと予め保存されている第２再配置カウンターを比較する段階；及び
前記比較結果に基づいて固定無線資源の再割当を受ける段階を含む。
【発明の効果】
【００１４】
資源解除及び資源変更によって発生する不連続的な無線資源の未使用領域を削除して、無線資源を効率的に使用することができる。
【００１５】
また、端末のマップ受信エラー時に発生する資源割当不一致を解決することができる。
【図面の簡単な説明】
【００１６】
【図１】一般的な固定割当資源が解除された場合の例示図である。
【図２】一般的な新たなバースト割当（ｎｅｗ ｂｕｒｓｔ ａｌｌｏｃａｔｉｏｎ）方法を利用した資源解除の利用方法に関する例示図である。
【図３】一般的な多重領域割当（ｍｕｌｔｉｐｌｅ ｒｅｇｉｏｎａｌ ｌｏｃａｔｉｏｎ）方法を利用した資源解除の利用方法に関する例示図である。
【図４】一般的なビットマップによる固定割当方式の例示図である。
【図５】本発明の第１実施例による基地局資源の再配置方法を示す第1例示図である。
【図６】本発明の第１実施例による基地局資源の再配置方法を示す第２例示図である。
【図７】本発明の第１実施例による資源再配置方法に対する流れ図である。
【図８】本発明の第２実施例による再配置カウンターを利用した資源割当方法の流れ図である。
【図９】本発明の第２実施例による多重情報要素を利用した資源割当方法の流れ図である。
【発明を実施するための形態】
【００１７】
以下、添付した図面を参照して本発明の実施例について本発明が属する技術分野における通常の知識を有する者が容易に実施できるように詳しく説明する。しかし、本発明は多様で相異する形態でも実現することができ、ここで説明する実施例に限定されない。そして、図面で本発明を明確に説明するために、説明上不要な部分は省略している。明細書全体にわたって類似の部分については同一図面符号を付している。
【００１８】
また、或る部分が何らかの構成要素を“含む”とする時、これは特に反対となる記載がない限り、他の構成要素を除くことではなく、他の構成要素をさらに含むことを意味する。
【００１９】
図１は一般的な固定割当資源が解除された場合の例示図である。
【００２０】
一般に固定割当方式（ＣＭ:Ｃｉｒｃｕｉｔ Ｍｏｄｅ）によって資源を割り当てる場合、パケット伝送方式に比べてマップオーバーヘッドは減少するが、ＭＣＳ変更のための再割当及び解除などが無作為に発生する。したがって、固定割当領域と解除された無線資源領域が非連続的に混在することがある。ここで、マップはダウンリンクフレーム及びアップリンクフレームで無線資源を割り当てるため、または無線制御のための情報要素（ＩＥ:Ｉｎｆｏｒｍａｔｉｏｎ Ｅｌｅｍｅｎｔ）を含む。
【００２１】
通信システムでパケットモード（ＰＭ:Ｐａｃｋｅｔ Ｍｏｄｅ）のパケット伝送方式と固定割当方式とが混在することがある。この時、図１に示すように、マップ（ＭＡＰ）がフレームの前に割り当てられる。そして、従来のパケット伝送方式と互換性を維持し、資源の効率的な使用のために、パケットモードの資源（ＰＭ_ｓｕｂｂｕｒｓｔ １、ＰＭ_ｓｕｂｂｕｒｓｔ ２）は、順次、前から後ろに割り当てられ、固定割当方式の資源（ＣＭ_ｓｕｂｂｕｒｓｔ １、ＢＭ_ｓｕｂｂｕｒｓｔ ２、ＢＭ_ｓｕｂｂｕｒｓｔ ３、ＢＭ_ｓｕｂｂｕｒｓｔ ４）は、順次、後から前に割り当てされる。
【００２２】
つまり、図１は、固定割当方式の資源とパケットモードの資源とが混在して運用される場合の実施例であり、１つのフレーム内で予めパケットモードの資源のための資源領域と固定割当方式の資源のための資源領域とを割り当てて、運用することができることを示している。また、ダウンリンクではそれぞれの固定割当方式の資源とパケットモードの資源とを割り当てる後述の図４のような周波数軸に先に割り当てた後、時間軸に割り当てることもできる。この時、固定割当領域においてバースト２（ＣＭ_ｓｕｂｂｕｒｓｔ ２）が解除されると、図１のように資源の未使用領域（或いはホール（ｈｏｌｅ）領域とも言う）が発生する。
【００２３】
ここで、新たな固定割当の要求が発生する場合、図２に示すように、資源のホール領域を再使用するために新たに割り当てることもできる。
【００２４】
図２は、一般的な新たなバースト割当方法を利用した資源解除の利用方法を示す。
【００２５】
図２に示すように、ホール領域を再使用するためにホール領域に資源（ＮｅｗＣＭ_ｓｕｂｂｕｒｓｔ ４）を新たに割り当てることができる。この場合に、固定割当の大きさが一定であればホール領域を再使用するのに有利である。しかし、端末のＭＣＳレベルと要求資源量が異なることがあるために、ホールが発生した領域と、資源割当を要求した時点での新たな固定割当要求量とが同一である確率は比較的小さい。
【００２６】
このようなホール領域を再使用することができる他の方法としては、新たな固定割当の要求が発生する場合、いくつかの不連続的なホールを割り当てる多重領域割当方式がある。これは図３を参照して説明する。
【００２７】
図３は、一般の多重領域割当（ｍｕｌｔｉｐｌｅ ｒｅｇｉｏｎ ａｌｌｏｃａｔｉｏｎ）方法を利用した資源解除の利用方法を示す。
【００２８】
図３に示すように、新しく割り当てられる資源は、分割することができ、そして、既存の資源（ＣＭ_ｂｕｒｓｔ２）が解除されたホール領域（Ｒｅａｌｌｏｃａｔｅｄ ＣＭ_ｓｕｂｂｕｒｓｔ ２-１）と新たな領域（Ｒｅａｌｌｏｃａｔｅｄ ＣＭ_ｓｕｂｂｕｒｓｔ ２-２）とに割り当てることができる。このようにコーディングされた１つのバーストが複数の無線領域に伝送される場合、端末は複数の無線領域を受信してデコードすることができる。しかし、複数の領域を表現するためのマップオーバーヘッドが発生する。また、無線領域の割当及びＭＣＳ変更/解除の過程の間に、多くの断片化（ｆｒａｇｍｅｎｔ）が発生してマップの大きさが加重し、従ってマップオーバーヘッドが増加する。
【００２９】
このようなＭＣＳ解除及びＭＣＳ再割り当てにより生じる不連続的な資源のホールを効率的に使用するために、ビットマップ方式が提案されている。ビットマップ方式による固定割当方式については、図４を参照して説明する。
【００３０】
図４は、一般のビットマップによる固定割当方式を示す。
【００３１】
図４に示す各スロットの数字は、資源が割り当てられる順番を示すもので、図４に記載されている順に資源が割り当てられる。このように、ビットマップによる固定割当方式は、無線資源領域が使用されているか、または使用されていないかについて示すことができる。つまり、固定割当方式による資源割当が発生、または変更されるとき、端末は、ビットマップを読み取ることにより、自身が使用する資源の位置を検出することができる。これは、資源のホールが発生してもどの部分でホールが発生したかを知ることができるので、ビットマップ方式は、効率的に資源を割り当てることができる。
【００３２】
しかし、資源割当が変更されるとき、常にビットマップを端末へ伝送しなければならないため、ビットマップによるオーバーヘッドが発生する。また、ビットマップをハフマン符号化などの方式で圧縮して伝送するとしても、資源割当の変更が頻繁に発生する場合には、ビットマップによるオーバーヘッドによりマップの大きさが増加して、システムの実現のための複雑度が増加する。
【００３３】
このように固定割当方式を使用する間、資源の解除またはＭＣＳ変更によって発生する無線資源のホールが他のユーザーに再割り当てされるときにオーバーヘッドが発生するので、本発明の実施例に係る無線区間のホールを削除するための資源再配置方法を提案する。これに関し、図５及び図６を参照して説明する。
【００３４】
図５及び図６は、本発明の第１実施例に係る基地局の資源再配置方法を示す。図５及び図６は、１次元で資源を割り当てるとき、時間（シンボル）軸にまず資源を割り当てることを示す例示図であり、周波数（副チャンネル）軸に資源をまず割り当てる場合にも同様に適用することができる。
【００３５】
本発明の第１実施例では、無線資源のホールを無くすために再配置情報要素（ｒｅａｒｒａｎｇｍｅｎｔ ＩＥ）が含まれたマップを利用する。再配置情報要素が含まれたマップは、動的割当方法で資源を割り当てる場合、端末へ伝送するマップの大きさより小さく、ビットマップ方式を使用した場合に要求されるビットマップ伝送に対するオーバーヘッドも存在しない。したがって、無線資源のホールを無くすことにより、資源の効率（ｕｔｉｌｉｚａｔｉｏｎ）を向上することができる。
【００３６】
図５に示すように、固定割当サブバースト１から固定割当サブバースト４（ＣＭ_ｓｕｂｂｕｒｓｔ １〜ＣＭ_ｓｕｂｂｕｒｓｔ ４）までは、直前のフレームで端末に割り当てられて使用されている途中に固定割当サブバースト２の（ＣＭ_ｓｕｂｂｕｒｓｔ ２）割当が解除されたと仮定する。その結果、図６に示すように現在フレームでは固定割当サブバースト３（ＣＭ_ｓｕｂｂｕｒｓｔ ３）を固定割当サブバースト２（ＣＭ_ｓｕｂｂｕｒｓｔ ２）の領域へ再配置し、固定割当サブバースト４（ＣＭ_ｓｕｂｂｕｒｓｔ ４）を固定割当サブバースト３（ＣＭ_ｓｕｂｂｕｒｓｔ ３）の領域へ再配置して、無線資源のホールを無くす。ここで、矢印の方向は資源が割当される順序を示している。
【００３７】
つまり、基地局は、無線資源にホールが発生する場合（図５に示すように固定割当サブバースト２（ＣＭ_ｓｕｂｂｕｒｓｔ ２）に割り当てられた資源が解除された場合）、これに関する情報を再配置情報要素に含めて端末へ伝送し、移動スロット（Ｓｌｏｔ ｓｈｉｆｔ）フィールドに示される情報に従って、固定割当サブバースト３（ＣＭ_ｓｕｂｂｕｒｓｔ ３）と固定割当サブバースト４（ＣＭ_ｓｕｂｂｕｒｓｔ ４）を移動して、固定割当サブバースト１（ＣＭ_ｓｕｂｂｕｒｓｔ １）に連続するようにする。
【００３８】
このような方法により無線資源のホールを削除して再割当する資源再配置方法について、図７を参照して詳しく説明する。
【００３９】
図７は本発明の第１実施例による資源再配置方法に関する流れ図である。
【００４０】
図７に示すように、基地局が無線資源を再配置する場合、表１乃至表３のマップ情報要素を利用する。この時、表１乃至表３の複数のフィールドはマップに含まれて端末へ伝送される固定サブバースト情報要素（ｆｉｘｅｄ ｓｕｂｂｕｒｓｔ ＩＥ）、再配置情報要素（Ｒｅａｒｒａｎｇｅｍｅｎｔ ＩＥ）及び再配置カウンター情報要素（Ｒｅａｒｒａｎｇｅｍｅｎｔ ｃｏｕｎｔｅｒ ＩＥ）を例として示したものであり、必ずこのように限定されるわけではない。
【００４１】
【表１】
2010528556.tif 000003
【００４２】
【表２】
2010528556.tif 000004
【００４３】
【表３】
2010528556.tif 000005
【００４４】
表１に示すように、固定サブバースト情報要素は、サブバーストの個数（Ｎ ｓｕｂｂｕｒｓｔ）フィールド、スロット開始オフセット（ｓｌｏｔ ｓｔａｒｔ ｏｆｆｓｅｔ）フィールド、及び各サブバーストの情報フィールドを含む。各サブバーストの情報は、資源の固定割り当てに対して割当周期を示すピリオドフィールド、ＣＩＤ（Ｃｏｎｎｅｃｔｉｏｎ Ｉｄｅｎｔｉｆｉｅｒ）情報を示すＲＣＩＤ（Ｒｅｄｕｃｅｄ ＣＩＤ）情報要素フィールド、割当されるスロットの数を示す持続フィールド、ダウンリンク区間のＭＣＳ情報を示すダウンリンク区間使用コード（ＤＩＵＣ:Ｄｏｗｎｌｉｎｋ Ｉｎｔｅｒｖａｌ Ｕｓａｇｅ Ｃｏｄｅ）フィールドを含む。
【００４５】
表２に示すように、再配置情報要素は、基地局が資源を再配置する回数フィールド（ＮＲｅａｒｒａｎｇｅｍｅｎｔ）、再配置カウンター（Ｒｅａｒｒａｎｇｅｍｅｎｔ ｃｏｕｎｔｅｒ）フィールド、及び各再配置に対する情報フィールドを含む。この時、ホール領域の個数だけ再配置が起こるので、再配置回数（Ｎ）はホール領域の個数と同一である。そして、各再配置に対する情報フィールドは、第１スロットオフセットフィールドと資源の移動量を示す移動スロットフィールドなどを含む。移動スロットは、双方向である。移動スロットフィールドにおける１ビットのＭＳＢは、移動スロットの方向を示し、移動スロットフィールドにおけるＬＳＢを含む残りの７ビットは、移動量を示す。移動スロットフィールドのＭＳＢが０の場合（つまり、無線資源が割り当てられていない場合）、移動スロットの方向は、資源のホール領域を満たすために正になっている。移動スロットフィールドのＭＳＢが“１”の場合、移動スロットは、ホール領域を広げる方向に実施することができる。これは、新しい資源を拡大されたホール領域に割り当てるため、および存在する割当資源のサイズを変更するために用いることができる。
【００４６】
ここで、第１スロットオフセットは、再配置情報要素を通じて端末に出力されたスロットオフセット情報であり、固定無線資源の不連続領域の終了点情報（あるいは不連続領域直後の固定無線資源の開始点）と再配置する資源の中で最も先に再配置される資源（ＣＭ_ｓｕｂｂｕｒｓｔ ３）の情報（または“再配置資源情報”とも言う）を表わす。図５を参照すると、第１スロットオフセットフィールドは固定割当サブバースト３（ＣＭ_ｓｕｂｂｕｒｓｔ ３）の開始点位置を表わす。そして、表２を見ると、再配置情報要素のためにホールの個数（Ｎ）に応じて、“８+２０*Ｎｂｉｔｓ”の情報要素が要求される。しかし、再配置情報要素の数が必ずこのように限定されるわけではない。
【００４７】
表３の再配置カウンター情報要素はＤＩＵＣの形態フィールド、拡張されたＤＩＵＣの形態フィールド、再配置カウンターフィールドを含む。再配置カウンターは、資源に再配置が発生した場合、１ずつ増加する。つまり、図５及び図６を参照すると、固定割当サブバースト２（ＣＭ_ｓｕｂｂｕｒｓｔ ２）領域にホールが発生して、資源の再配置が要求されるため、カウンティングは、“１”だけ増加する。これは、表２のスロットオフセットフィールドとスロット移動フィールドに基づいて固定割当サブバースト３（ＣＭ_ｓｕｂｂｕｒｓｔ ３）及び固定割当サブバースト４（ＣＭ_ｓｕｂｂｕｒｓｔ ４）の割り当てをそれぞれ受けた端末が資源を再配置するためである。
【００４８】
ホール領域が発生して資源を再配置する場合、基地局は、ホール領域に応じて表２の再配置情報要素を生成（Ｓ１００）した後、生成した再配置情報要素をマップに含めて端末へ送信（Ｓ１１０）する。その後、端末は、既に固定割当方法によって割り当てを受けて現在使用中の固定割当バーストに対して予め保存されている第２スロットオフセットと割当量（ｄｕｒａｔｉｏｎ）を利用して、第１スロットオフセットと現在使用中の第２オフセットとを比較（Ｓ１２０）する。ここで、第２スロットオフセットは、現在使用中のスロットオフセットについての情報を意味する。
【００４９】
例えば、図５、図６及び表２を参照すると、再配置情報要素のスロットオフセットフィールドには再配置資源情報（サブバースト３）が、スロット移動フィールドには“サブバースト２”のサイズについての情報が含まれている。基地局は、第１スロットオフセットを介して、再配置情報要素に再配置資源情報を入力し、これを端末へ送信する。
【００５０】
仮に第２スロットオフセットが受信した第１スロットオフセットより小さい場合、現在使用中の第２スロットオフセットと割当量（ｄｕｒａｔｉｏｎ）を保存し、表１のピリオドフィールドに明示された割当周期が到来すると、指定された位置で資源を使用（Ｓ１３０）する。つまり、端末が、固定割当サブバースト１（ＣＭ_ｓｕｂｂｕｒｓｔ １）の割当を受けて資源を使用している場合、第１スロットオフセットは、“サブバースト３”であり、第２スロットオフセットは“サブバースト１”であり、第２スロットオフセットは第１スロットオフセットより小さい。この場合、端末は、自身に割り当てられた資源を持続的に活用する。
【００５１】
しかし、第１オフセットが第２オフセット以下の場合、端末は受信した第１スロットオフセットと割当量を保存（Ｓ１４０）した後、固定無線資源の位置を変更する手続きを行なう（Ｓ１５０）。つまり、端末が固定割当サブバースト３（ＣＭ_ｓｕｂｂｕｒｓｔ ３）及び固定割当サブバースト４（ＣＭ_ｓｕｂｂｕｒｓｔ ４）の割り当てを受けて資源を使用している場合、第２スロットオフセットは、第１スロットオフセットより大きいか同一であるので、それぞれの端末はスロット移動フィールドを参照して固定無線資源の位置を変更する。
【００５２】
このような固定割当方式を利用して資源を再配置する場合、端末がマップを受信する際にエラーが発生することがあり、再配置が発生した時にマップの受信に失敗した端末は他の固定割当ユーザーに影響を与えることがある。したがって、本発明の第２実施例では再配置カウンター方式と多重情報要素（ｍｕｌｔｉｐｌｅ ＩＥ）伝送方式を通じて無線資源の再配置することとなる。
【００５３】
まず、再配置カウンター方式では、基地局はマップ上の再配置カウンター情報要素を読み出して、一度これを送信し、これを受信した複数の端末からマップの受信完了および再配置カウンターの一致の可否などを含むメッセージを受信して、資源を再配置する。この時、マップに再配置カウンターが含まれない場合、資源の再配置が発生しないと判断して、自分が使用している資源を継続して活用する。つまり、端末は直前のフレームでマップ受信に失敗しても次のフレームに再配置カウンターが含まれていないか、または保存されている再配置カウンターと同一値のカウンターが送信された場合、固定割当資源を継続して使用する。
【００５４】
再配置カウンター方式で無線資源を再配置する目的は、固定割当モードで動作する端末のマップ受信エラーが発生した時、固定割当バースト再配置の同期を保障し、これを復旧するためである。再配置カウンターは、端末の固定割当位置が変更する場合を示すためのもので、再配置情報要素が適用されるフレームに適用され、固定割当バーストが再配置される場合、または同一領域において割当と再割当（ｄｅ-ａｌｌｏｃａｔｉｏｎ）を同時に行う場合にカウンターを増加させる。
【００５５】
再配置カウンターは、再配置情報要素が適用されるフレームから再割り当てされた資源を割り当てる端末が全て完璧に送受信するかが判断できるまで、または配置に関するタイムアウト（ＭＡＸ_ＲＥ_ＡＲＲＡＮＧＥ_ＴＩＭＥＯＵＴ）が発生するまで、情報要素形態としてマップを通じて送信される。ここで、送受信判断の可否は、ＨＡＲＱ（Ｈｙｂｒｉｄ Ａｕｔｏｍａｔｉｃ Ｒｅｐｅａｔ Ｒｅｑｕｅｓｔ）フィードバック、アップリンクバーストまたはＣＱＩＣＨ（Ｃｈａｎｎｅｌ Ｑｕａｌｉｔｙ Ｉｎｄｉｃａｔｏｒ Ｃｈａｎｎｅｌ）のうちのいずれか１つの形態により判断できる。これについては図８を参照して説明する。
【００５６】
図８は本発明の第２実施例による再配置カウンターを利用した資源割当方法の流れ図である。
【００５７】
図８に示すように、基地局は、再配置情報要素によって資源が再割り当てされるフレームごとに再配置カウンターを増加（Ｓ２００）させる。その後、一定期間の間に基地局により生成（Ｓ２１０）された再配置カウンターをマップに含み、資源が再割り当てされたフレームを通じてこれを端末へ伝送（Ｓ２２０）する。
【００５８】
端末は、基地局から伝送されたマップに再配置カウンターが含まれているかどうかを判断（Ｓ２３０）し、マップに再配置カウンターが含まれていない場合には、現在、自身が使用中の資源を継続して使用（Ｓ２４０）する。しかし、再配置カウンターが含まれている場合に端末は基地局から伝送されたマップに含まれている再配置カウンターを保存（Ｓ２３０）し、新たに保存した再配置カウンターと既に自身が保存している再配置カウンターとが同一であるかどうかを判断（Ｓ２５０）する。
【００５９】
保存したカウンターが再配置カウンターと同一であれば、当該フレームで資源を使用（Ｓ２５０）することができる。この場合、端末が再配置カウンターを保存した後、他の端末で再配置カウンターを含んだマップの再伝送を要求したときにマップを受信した場合であり、この時、マップに含まれている再配置カウンターは同一である。つまり、再配置カウンターが含まれているマップは、複数の端末に送信されるので、端末は同一の再配置カウンターが含まれているマップを何回も受信することができる。
【００６０】
しかし、新たに保存された再配置カウンターと既に保存された再配置カウンターが同一ではなく、そしてマップに再配置情報要素が含まれていない場合、端末は、再配置情報要素を基地局から受信しなければならず、マップ受信にエラーがあることを検出して、基地局にマップ受信エラーを知らせる（Ｓ２８０）。この時、端末は、再配置情報要素を受信するまで、当該フレームにおける固定割当資源の送信を一時的に中止（Ｓ２７０）する。
【００６１】
基地局はマップ受信エラーメッセージを端末から受信すると、当該端末に対する資源を再割り当て（Ｓ２９０）し、再配置情報要素を含むマップを端末へ伝送（Ｓ３００）する。この時、Ｓ２００段階の時に行われた資源の再配置を当該端末に対して再び行うので、再配置カウンターは更新されない。
【００６２】
ここで、ＣＱＩＣＨ、ＨＡＲＱフィードバックまたはアップリンクバーストのうちのいずれか１つを基地局に伝送することにより、マップ受信のエラーを通知することができる。ＨＡＲＱ ＡＣＫ ＣＨは、ＨＡＲＱモードでバーストを伝送する場合に使用され、基地局は、ダウンリンクバーストの応答として使用されるＨＡＲＱ ＡＣＫ ＣＨをモニタしてＡＣＫ/ＮＡＣＫのみ受信を検出する場合、ＭＡＰの受信の失敗を判定できる。
【００６３】
詳細には、ＨＡＲＱフィードバックを利用する場合、端末がマップ受信を完了したかどうかに従って、ＡＣＫ/ＮＡＣＫ情報を含むフィードバックを基地局に伝送し、そして端末の再配置情報要素の受信可否を基地局に知らせることができる。アップリンクバーストを利用する場合、基地局が端末に再配置情報要素を通じてアップリンク資源を割り当てる時に端末がマップの受信に成功した場合、端末は、アップリンクバーストを利用して基地局に情報を伝送し、これによってマップの受信可否を確認することができる。また、ＣＱＩＣＨを利用する場合、ＣＱＩＣＨ内に特定コードワード（Ｃｏｄｅｗｏｒｄ）が定義されていて端末がマップを受信できないとき、特定コードワードを含めて基地局に伝送すると、基地局は端末が再配置情報要素を受信していないことが分かる。
【００６４】
ＣＱＩＣＨを利用する場合、アップリンク及びダウンリンクに関してコードワードを区別しておく。これはアップリンクとダウンリンクの再配置情報要素が同一に発生しないことがあるので、それぞれのコードワードを区別して端末に知らせなければならないためである。
【００６５】
また、端末がＣＱＩＣＨの割当を受信せず、あるいはＣＱＩＣＨを使用しない場合、再配置カウンターが異なるということを基地局に知らせるためにサブヘッダまたはＭＡＣ管理メッセージを使用することができる。この時、サブヘッダあるいはＭＡＣ管理メッセージにはダウンリンクとアップリンクそれぞれに関する再配置カウンターが含まれてもよい。
【００６６】
端末が再配置マップを受信できないことを基地局に知らせる時、基地局は、マップの利用により再配置情報要素を送信して、端末に知らせることができる。また、当該端末に専用バーストを割り当てることにより、ＭＡＣ  ＰＤＵ形式で直接知らせることもできる。
【００６７】
基地局からマップを受信した端末は、当該マップに再配置情報要素が含まれているかどうかを判断（Ｓ３１０）し、仮に再配置情報要素が含まれていれば当該情報に基づいて資源を活用（Ｓ３４０）する。しかし、マップに再配置情報要素が含まれていなければ、端末は基地局にマップの受信エラーを伝送（Ｓ３２０）することができて、これは再配置についてのタイムアウト（ＭＡＸ_ＲＥ_ＡＲＲＡＮＧＥ_ＴＩＭＥＯＵＴ）が発生するまで、または再配置情報を受信するまで繰り返される。
【００６８】
つまり、再配置についてのタイムアウトが発生したかどうかを判断（Ｓ３３０）し、仮にタイムアウトが発生した場合、端末は自身が使用した資源を解除（Ｓ３４０）する。しかし、再配置についてのタイムアウトが発生しない場合は、Ｓ３１０のように基地局から伝送されるマップに再配置情報要素が含まれているかどうかを判断する段階の次の段階が実施される。ここで、Ｓ３２０で端末が基地局へマップ受信エラーを伝送する時には、Ｓ２８０で使用される多様な方法を利用して伝送する。
【００６９】
以上、端末にマップ受信エラーが発生した場合、再配置カウンターを利用して受信エラーを解決し、再配置された資源を利用する方法について説明した。次に、マップ受信エラーを解決するための他の方法である多重情報要素方法について図９を参照して説明する。
【００７０】
図９は、本発明の第２実施例による多重情報要素を利用した資源割当方法の流れ図である。
【００７１】
多重情報要素伝送方式は、予め設定された時間の間、マップを通じて同一の再配置カウンターを含む再配置情報要素を繰り返し端末に伝送する方式である。多重情報要素伝送方式を利用すると、連続的に同一の再配置情報要素が伝送される時間の間にマップを受信しなかった端末は、自動的に割り当てされた資源を解除し、または再配置カウンター方式と同様にカウンター情報を比較してマップ受信エラーを基地局に報告して割当情報を再び受けることもできる。図９は本発明の実施例によって連続的にマップ受信に失敗した時の固定割当資源が解除される場合を示す図面である。
【００７２】
図９に示すように、基地局は、再配置情報要素によって資源が再割当されるフレームごとに再配置カウンターを増加（Ｓ４００）させる。その後、一定期間の間に基地局から生成（Ｓ４１０）された再配置カウンターをマップに含めて資源が再割当されたフレームを通じて端末に伝送（Ｓ４２０）する。この時、基地局は、予め設定された時間の間、複数のフレームにかけて再配置情報要素を端末に伝送（Ｓ４２０）する。つまり、基地局は予め定義されたマップ伝送時間（ＭＡＸ_ＲＥＡＲＲＡＮＧＥＭＥＮＴ_ＴＸ）の間、端末からマップ受信に対する応答がなくても複数回マップを伝送する。
【００７３】
端末は基地局からマップを受信したかどうかを判断（Ｓ４３０）する。仮に当該フレーム中に基地局から伝送されるマップを受信できなかった場合、端末は、マップを受信しなかったフレームの数が予め設定した数（ｘ）以上かどうかを判断（Ｓ４５０）する。仮にマップを受信しなかったフレームの数が設定した数より少ない場合、端末は、当該フレームにおけるデータの伝送を中止（Ｓ４６０）する。その後、端末はマップ伝送時間（ＭＡＸ_ＲＥＡＲＲＡＮＧＥＭＥＮＴ_ＴＸ）が完了したかどうかを判断（Ｓ４７０）し、完了していないときにはＳ４３０の後のステップを実施する。
【００７４】
しかし、複数のフレームについて継続的にマップを受信しない場合、またはマップ伝送時間が完了した場合、端末は固定割当資源を解除（Ｓ４８０）する。この時、いくつかのフレームにかけて再配置情報要素の伝送を示すフレームの数の情報は、ダウンリンクで物理階層特性を記述する媒体アクセス制御階層メッセージであるＤＣＤ（Ｄｏｗｎｌｉｎｋ Ｃｈａｎｎｅｌ Ｄｅｓｃｒｉｐｔｏｒ）、あるいはアップリンクで物理階層特性を記述する媒体アクセス制御メッセージであるＵＣＤ（Ｕｐｌｉｎｋ Ｃｈａｎｎｅｌ Ｄｅｓｃｒｉｐｔｏｒ）を通じて端末に放送され、端末のマップ受信エラーの統計値を利用してフレーム数を動的に変更することができる。
【００７５】
ここで、前述した本発明の実施例の構成に対応する機能を実現するプログラムまたはそのプログラムが記録された記録媒体もまた本発明の範疇に含まれるものである。
【００７６】
以上、本発明の実施例について詳細に説明したが、本発明の権利範囲はこれに限定されるわけではなく、特許請求の範囲で定義する本発明の基本概念を利用した当業者の多様な変形及び改良形態もまた本発明の権利範囲に属する。
【００７７】
本発明の例示の実施形態にしたがって、資源解除および資源変更により生じた無線資源の不連続な不使用領域を削除することで、無線資源が有効に用いられる。
【００７８】
また、端末がＭＡＰを受信できないときに発生する資源割当のミスマッチを解決することができる。
【図１】
2010528556.tif 000006
【図２】
2010528556.tif 000007
【図３】
2010528556.tif 000008
【図４】
2010528556.tif 000009
【図５】
2010528556.tif 000010
【図６】
2010528556.tif 000011
【図７】
2010528556.tif 000012
【図８】
2010528556.tif 000013
【図９】
2010528556.tif 000014
【国際調査報告】
2010528556.tif 000015
2010528556.tif 000016